(57)【特許請求の範囲】
【請求項１】
放射線照射部を有する回転ガントリー、上記回転ガントリーの外に配置されて患者を載せる治療台の上記放射線照射部に対する位置を決めるためのペンダント、上記ペンダントと電源とを繋ぐ電気ケーブル、上記電気ケーブルを大きな弛みを与えることなく送り出しおよび送り戻す電気ケーブル送出送戻装置を備え、上記電気ケーブル送出送戻装置は、バネによる巻き取り機構とラチェット機構とを内蔵したコプリングであることを特徴とする放射線治療装置。
【請求項２】
電気ケーブル送出送戻装置は、天井裏にまたは天井とペンダントとの間に設けられたことを特徴とする請求項１記載の放射線治療装置。
【請求項３】
放射線照射部を有する回転ガントリー、患者を載せる治療台の上記放射線照射部に対する位置を決めるためのペンダント、上記ペンダントを上記回転ガントリーの入口近傍の外において上から懸垂し、且つ上記懸垂の状態から斜めして上記回転ガントリー内に引き込めば上記回転ガントリー内の上記治療台の近傍に届く長さを有する懸垂部材を備えたことを特徴とする放射線治療装置。
【請求項４】
ペンダントは、建屋の天井から懸垂されたことを特徴とする請求項１または請求項３記載の放射線治療装置。
【請求項５】
ペンダントは、建屋の天井に設けられたレールに沿って移動する移動部から懸垂されたことを特徴とする請求項１または請求項３記載の放射線治療装置。
【請求項６】
放射線照射部を有する回転ガントリー、患者を載せる治療台の上記放射線照射部に対する位置を決めるためのペンダント、上記回転ガントリーの入口近傍の外に設けられたアーム支持部材、上記アーム支持部材に固定されて、あるいは上記アーム支持部材の軸の周りに回転自在に取付けられて上記回転ガントリーの内部に入り込み可能な長さを有するアーム、および上記アームの先端またはその近傍から上記ペンダントを懸垂する懸垂部材を備えたことを特徴とする放射線治療装置。
【請求項７】
懸垂部材は、ペンダントと電源とを繋ぐ電気ケーブルおよび／またはワイヤであることを特徴とする請求項３または請求項６記載の放射線治療装置。
【請求項８】
アーム支持部材は、建屋の天井に取付けられたことを特徴とする請求項６記載の放射線治療装置。
【請求項９】
アーム支持部材は、建屋の天井に設けられたレールに沿って移動する移動部であることを特徴とする請求項６記載の放射線治療装置。
【請求項１０】
レールは、回転ガントリーの回転軸と平行方向または直交方向に設けられたことを特徴とする請求項５または請求項９記載の放射線治療装置。
【請求項１１】
レールは、回転ガントリーの回転軸を通る垂直な面からずれた位置に設けられたことを特徴とする請求項５または請求項９記載の放射線治療装置。
【請求項１２】
レールは、回転ガントリーの外に出された治療台を囲むようにコ字型を呈することを特徴とする請求項５または請求項９記載の放射線治療装置。
【請求項１３】
アームは、アーム支持部材に対して上下に回転可能であることを特徴とする請求項６記載の放射線治療装置。
【請求項１４】
アームは、回転ガントリーの円弧状の内壁に沿うように湾曲していることを特徴とする請求項６記載の放射線治療装置。
【請求項１５】
アームのアーム支持部材の周りでの回転を阻止するアーム固定装置を有することを特徴とする請求項６記載の放射線治療装置。
【請求項１６】
アーム固定装置は、アーム支持部材またはアームに設けられた複数の孔と上記孔に嵌まり込んでアームの回転を阻止するボールから構成されたことを特徴とする請求項１５記載の放射線治療装置。
【請求項１７】
アーム固定装置は、アームの回転を電磁的に阻止する電磁ブレーキであることを特徴とする請求項１５記載の放射線治療装置。
【発明の詳細な説明】
【０００１】
【発明の属する技術分野】
本発明は、放射線治療装置に関し、詳しくは放射線照射部を有する回転ガントリーを備えた放射線治療装置に関するものである。
【０００２】
【従来の技術】
図２６は、従来の放射線治療装置の概略正面図であり、図２７は図２６の、回転ガントリー内部の側面図を含む概略側面図である。図２６〜図２７において、１は放射線治療装置を収容した建屋、２は回転ガントリー、２１は回転ガントリー本体、２２は回転ガントリー２の入口、２５は治療台、３はペンダント、４は電気ケーブルである。
【０００３】
建屋１は、回転ガントリー２を収容した高い天井（図示せず）を有する部屋１１、および回転ガントリー２の入口２２の前方に存在する前室１２とを有する。前室１２は、その側壁１２１に開けられた、回転ガントリー２の外径より少し広い間口を介して部屋１１に通じている。回転ガントリー２は、円筒形の回転ガントリー本体２１、回転ガントリー本体２１の内壁に取付けられて治療台２５上の患者（図示せず）に放射線を照射する照射ノズル２４、回転ガントリー本体２１の内壁に取付けられて回転ガントリー本体２１と共に回転する複数の床２６（図２７ではその一つのみを示す。）、および回転ガントリー本体２１をその回転中心軸２３の周りに回転させる回転装置（図示せず）とから構成されている。
【０００４】
図２７において、回転ガントリー２内から前室１２内に移された治療台２５を点線で示す。前室１２の床１４は、中床１４１を有する。中床１４１は、図２７に示すように床１４から延在して回転ガントリー２内に入り込んでいるが回転ガントリー本体２１の上記回転を可能にし、且つ治療台２５が前室１２と回転ガントリー２内の間を自由に移動できるように、その表面は回転ガントリー２の回転状況によっては複数の床２６の一つの表面と互いに同一平面を形成して治療台２５や医師らの回転ガントリー２内での移動を容易にしている。
【０００５】
ペンダント３は、前記側壁１２１の回転ガントリー２の入口２２に近い箇所に固定されたフック１２２に掛けられており、電気ケーブル４は、その一端はペンダント３に接続され、他端は前室１２の天井１３の裏に設けられた電源（図示せず）に接続されている。患者の治療に際して、医師はペンダント３を持って移動する。いま図２７において、２５１を回転ガントリー２内での位置決めポイント（照射ノズル２４からのビームが当たるポイント）とし、２５２を前室１２内での位置決めポイント（位置決めポイント２５１の対称ポイント）とすると、医師は、回転ガントリー２内および前室１２内におけるポイント２５１およびポイント２５２またはそれらの近傍において、ペンダント３のボタン操作により患者の患部がポイント２５１あるいはポイント２５２に合致するように治療台２５を移動させる。
【０００６】
ところで従来の放射線治療装置では、ペンダント３は、それが不要な時には側壁１２１に固定されたフック１２２に掛けられるか、あるいは適当な安全な場所に仮置きされる必要がある。したがって医師は、一般的に多忙を極める治療の最中においてペンダント３をフック１２２に掛けるために移動する手間、あるいは安全な仮置場所を探す手間が要求される問題がある。一方、ペンダント３に接続された電気ケーブル４は、医師が回転ガントリー２内および前室１２内の両場所で操作できるように十分な長さを有するので、ペンダント３が操作される間は、前室１２の床１４上や中床１４１上に這わされた状態となっており、そのために医師やその他の治療関係者は、彼らの移動時には電気ケーブル４に絡まらないよう注意しなければならず、正確な治療や作業を遂行するうえで大きな妨げとなっている。
【０００７】
上記の事情により、回転ガントリー２の内外において、医師や技師が少しの間ペンダント３を手離して他の作業を行う時、それの置き場所に困ったり、床上の電気ケーブル４の存在に基づく上記の問題がなく、スムーズに治療や作業が行える放射線治療装置が要求されている。
【０００８】
【発明が解決しようとする課題】
本発明は、上記した従来技術の問題に鑑みて、ペンダントを使用しない時のその置き場所の探索や、ペンダントに接続された電気ケーブルが治療などの妨げにならない放射線治療装置を提供することを課題とするものである。
【０００９】
【課題を解決するための手段】
本発明の放射線治療装置は、（１）放射線照射部を有する回転ガントリー、上記回転ガントリーの外に配置されて患者を載せる治療台の上記放射線照射部に対する位置を決めるためのペンダント、上記ペンダントと電源とを繋ぐ電気ケーブル、上記電気ケーブルを大きな弛みを与えることなく送り出しおよび送り戻す電気ケーブル送出送戻装置を備え、上記電気ケーブル送出送戻装置は、バネによる巻き取り機構とラチェット機構とを内蔵したコプリングであることを特徴とするものである。
（２）上記（１）において、電気ケーブル送出送戻装置は、天井裏にまたは天井とペンダントとの間に設けられたものである。
【００１０】
本発明の放射線治療装置は、また（３）放射線照射部を有する回転ガントリー、患者を載せる治療台の上記放射線照射部に対する位置を決めるためのペンダント、上記ペンダントを上記回転ガントリーの入口近傍の外において上から懸垂し、且つ上記懸垂の状態から斜めして上記回転ガントリー内に引き込めば上記回転ガントリー内の上記治療台の近傍に届く長さを有する懸垂部材を備えたものである。
（４）上記（１）または（３）において、ペンダントは、建屋の天井から懸垂されたものである。
（５）上記（１）または（３）において、ペンダントは、建屋の天井に設けられたレールに沿って移動する移動部から懸垂されたものである。
【００１１】
本発明の放射線治療装置は、また（６）放射線照射部を有する回転ガントリー、患者を載せる治療台の上記放射線照射部に対する位置を決めるためのペンダント、上記回転ガントリーの入口近傍の外に設けられたアーム支持部材、上記アーム支持部材に固定されて、あるいは上記アーム支持部材の軸の周りに回転自在に取付けられて上記回転ガントリーの内部に入り込み可能な長さを有するアーム、および上記アームの先端またはその近傍から上記ペンダントを懸垂する懸垂部材を備えたものである。
（７）上記（３）または（６）において、懸垂部材は、ペンダントと電源とを繋ぐ電気ケーブルおよび／またはワイヤである。
（８）上記（６）において、アーム支持部材は、建屋の天井に取付けられたものである。
（９）上記（６）において、アーム支持部材は、建屋の天井に設けられたレールに沿って移動する移動部である。
（１０）上記（５）または（９）において、レールは、回転ガントリーの回転軸と平行方向または直交方向に設けられたものである。
（１１）上記（５）または（９）において、レールは、回転ガントリーの回転軸を通る垂直な面からずれた位置に設けられたものである。
（１２）上記（５）または（９）において、レールは、回転ガントリーの外に出された治療台を囲むようにコ字型を呈するものである。
（１３）上記（６）において、アームは、アーム支持部材に対して上下に回転可能であるものである。
（１４）上記（６）において、アームは、回転ガントリーの円弧状の内壁に沿うように湾曲しているものである。
（１５）上記（６）において、アームのアーム支持部材の周りでの回転を阻止するアーム固定装置を有するものである。
（１６）上記（１５）において、アーム固定装置は、アーム支持部材またはアームに設けられた複数の孔と上記孔に嵌まり込んでアームの回転を阻止するボールから構成されたものである。
（１７）上記（１５）において、アーム固定装置は、アームの回転を電磁的に阻止する電磁ブレーキである。
【００１２】
【発明の実施の形態】
以下の諸実施の形態において、図２６〜図２７の従来技術に示された部位と同じ部位については同符号を付し、各内容の説明は図２６〜図２７での説明を参照することとして以下では省略することがある。また先行する実施の形態において用いられた部位や用語は、先行する実施の形態における説明を参照することとして、後続の実施の形態においては符号付けや説明を省略することがある。
【００１３】
実施の形態１．
図１は、本発明における放射線治療装置の実施の形態１の概略正面図であり、図２は図１の、回転ガントリー内部の側面図を含む概略側面図である。図１〜図２において、５は、電気ケーブル送出送戻装置の一例としてのコプリングである。電気ケーブル４は、コプリング５に巻かれており、その一端はペンダント３に、またその他端は天井１３の裏に設けられた電源（図示せず）に接続されている。コプリング５は、天井１３とペンダント３との間に設けらており、バネによる巻き取り機構とラチェット機構とを内蔵した構造を有し、前室１２の回転ガントリー２の入口２２に近い天井１３から懸垂されている。電気ケーブル４は、医師によりコプリング５から送出されると、それの送出された長さ分がラチェット機構によりロック保持される。さらに電気ケーブル４は、医師により僅かに引かれ、その後に医師がペンダント３から手を放すと、電気ケーブル４は巻き取られて自動的にコプリング５内に収納される。しかしてコプリング５は、電気ケーブル４を大きな弛みを与えることなく送出および送戻する作用をなす。
【００１４】
図２において、Ａは電気ケーブル４がコプリング５から送出された状態でのペンダント３と電気ケーブル４の状態（以下、送出状態Ａと称す。）を示し、Ｂは電気ケーブル４がコプリング５に送戻された状態でのペンダント３と電気ケーブル４の状態（以下、送戻状態Ｂと称す。）を示す。医師が送戻状態Ｂのペンダント３を掴んだままで位置決めポイント２５１の近傍まで移動すると、電気ケーブル４がコプリング５から送り出されて送出状態Ａに至る。つぎに送出状態Ａにおいて医師がペンダント３を操作し、その後に電気ケーブル４を僅かに引いてペンダント３から手を放すと、ペンダント３と電気ケーブル４は自動的に送戻状態Ｂに戻る。したがって医師は、ペンダント３の操作後に従来のようにそれをフック１２２（図２６〜図２７参照）に掛けるために移動する必要や安全な仮置場所を探す必要がなく、しかも電気ケーブル４が中床１４１上に這うこともないので、医師やその他の治療関係者は電気ケーブル４に絡まらないよう注意する必要もなくなって、患者の治療やその他の作業に専念することができる。
【００１５】
実施の形態２．
図３は、本発明における放射線治療装置の実施の形態２の概略正面図であり、図４は図３の、回転ガントリー内部の側面図を含む概略側面図である。図３〜図４において、６は前室１２の回転ガントリー２の入口２２に近い天井１３に設けられたレール、６１はレール６に設けられた電気ケーブル４の抜け孔、６２はレール６に沿って移動する移動部の一例としてのスライダーであって、ペンダント３はコプリング５と共に電気ケーブル４によりスライダー６２から懸垂されている。レール６は、回転ガントリー２の回転中心軸２３に平行且つ上記回転中心軸２３を通る垂直な面からその真下が丁度、治療台２５の横にあたる距離Ｌ（図３参照）だけずれた位置で天井１３に設けられている。また、レール６は、その図４上での右端は回転ガントリー２の入口２２に可及的近い位置にあり、一方、その左端は前室１２内での位置決めポイント２５２を余裕をもって越える程の長さを有する。
【００１６】
したがって、ペンダント３とコプリング５がレール６の上記右端あるいはその近傍にある時は、前記実施の形態１の場合と同様にペンダント３と電気ケーブル４とを送出状態Ａおよび送戻状態Ｂとなすことができる。加えて、治療台２５が図４の点線で示されるように前室１２に移されている時には、スライダー６２をレール６に沿ってスライドさせてペンダント３とコプリング５とを位置決めポイント２５２の真上辺りに移動させ、その位置において医師は電気ケーブル４をコプリング５から必要量送出してペンダント３を操作し、その後それを送戻することができる。
【００１７】
実施の形態３．
図５は、本発明における放射線治療装置の実施の形態３の概略正面図であり、図６は図５の、回転ガントリー内部の側面図を含む概略側面図である。図５〜図６において、６は前室１２の回転ガントリー２の入口２２に近い天井１３に設けられたレールであって、実施の形態３は、前記実施の形態２とはレール６が回転ガントリー２の回転中心軸２３と直交方向に設けられており、且つレール６は、その両端は回転ガントリー２の回転中心軸２３を通る垂直な面からその真下が丁度、治療台２５の左右の横にあたる距離Ｌ（図５参照）となる長さより少し長い長さを有する点において異なり、その他の構成は同じである。したがって医師は、治療台２５の左または右において、実施の形態１の場合と同様にペンダント３と電気ケーブル４とを送出状態Ａおよび送戻状態Ｂとなすことができる。
【００１８】
実施の形態４．
図７は、本発明における放射線治療装置の実施の形態４の概略正面図であり、図８は図７の、回転ガントリー内部の側面図を含む概略側面図である。図７〜図８において、４’は懸垂部材の一例としてのワイヤである。実施の形態４は、前記実施の形態２とは、コプリングを用いずにスライダー６２から比較的長尺のワイヤ４’と螺旋状の電気ケーブル４とが延び出してそれぞれがペンダント３と接続されてペンダント３を懸垂している点において異なり、その他の構成は実施の形態２と同じである。
【００１９】
図８において、Ｄはペンダント３が回転ガントリー２の入口２２の近傍の前室１２内においてスライダー６２から懸垂した状態（以下、懸垂状態Ｄと称す。）を示し、Ｃは懸垂状態Ｄからワイヤ４’と電気ケーブル４とを斜めにした状態（以下、傾斜状態Ｃと称す。）を示す。スライダー６２がレール６の右端にあり、且つワイヤ４’と電気ケーブル４とを傾斜状態Ｃとしてペンダント３を回転ガントリー２内に引き込んだ状態において、スライダー６２とペンダント３との間の、ワイヤ４’の長と電気ケーブル４の螺旋巻きの長さは、ペンダント３が少なくとも治療台２５に届く程度としておく。さすれば、上記の傾斜状態Ｃにおけるペンダント３の位置が位置決めポイント２５１に未だ届かなくても、多くの場合に医師は上記傾斜状態Ｃにおいてペンダント３を操作して治療台２５を位置決めポイント２５１に位置決めすることができる。勿論、ワイヤ４’と電気ケーブル４の上記の長さは、好ましくは位置決めポイント２５１に届く程度としておく。このペンダント３を操作して位置決めした後、医師はペンダント３を手放すと、ペンダント３はワイヤ４’や電気ケーブル４と共に自動的に懸垂状態Ｄに戻る。
【００２０】
懸垂状態Ｄにおいては、電気ケーブル４とペンダント３とは回転ガントリー２の入口２２において天井１３のスライダー６２から懸垂しているので、医師などの治療関係者は、必要に応じて懸垂状態Ｄの電気ケーブル４やペンダント３を手で避けて、あるいはレール６を利用して邪魔にならぬ方に移動させて回転ガントリー２内に出入りすることができ、したがって前記実施の形態１と同様の効果が得られて、患者の治療やその他の作業に専念することができる。加えて、治療台２５が図８の点線で示されるように前室１２に移されている時には、スライダー６２をレール６に沿ってスライドさせてペンダント３を位置決めポイント２５２の近傍（点線で示す懸垂状態Ｄの位置）に移動させ、その位置において医師はペンダント３を操作することができる。
【００２１】
実施の形態５．
図９は、本発明における放射線治療装置の実施の形態５の概略正面図であり、図１０は図９の、回転ガントリー内部の側面図を含む概略側面図である。実施の形態５は、前記実施の形態４とはレール６が回転ガントリー２の回転中心軸２３に対して直交方向に設けられており、且つレール６は、その両端は回転ガントリー２の回転中心軸２３を通る垂直な面から、丁度、真下が治療台２５の左右の横にあたる距離Ｌ（図９参照）より少し長い長さを有する。したがって医師は、治療台２５の左または右において電気ケーブル４やペンダント３を傾斜状態Ｃとし、前記実施の形態３および実施の形態４の場合と同様にしてペンダント３を操作することができる。
【００２２】
実施の形態６．
図１１は、本発明における放射線治療装置の実施の形態６の概略正面図であり、図１２は図１１の、回転ガントリー内部の側面図を含む概略側面図であり、図１３は図１１の概略上面図である。図１１〜図１３において、６は前室１２の天井１３に設けられたコ字状のレールであって、実施の形態６は前記実施の形態４〜５とは、レール６がコ字状を呈する点において異なり、他の構成は同じである。レール６は、実施の形態４でのレール６と実施の形態５でのレール６との両作用をなす効果がある。
【００２３】
実施の形態４〜実施の形態６においては、各ペンダント３はワイヤ４’と螺旋状の電気ケーブル４の両方で懸垂されているが、本発明においてはペンダント３はワイヤ４’のみで、あるいは螺旋状または直線状の電気ケーブル４のみで懸垂されてもよい。ペンダント３がワイヤ４’のみで懸垂される場合には、電気ケーブル４はペンダント３に必要な電力を供給するためだけの目的でワイヤ４’に沿わされ、一方、電気ケーブル４のみで懸垂する場合にはワイヤ４’は不要であって、電気ケーブル４は電力供給と懸垂部材としての両作用をなす。
【００２４】
実施の形態４〜実施の形態６においては、各ペンダント３は一定長を有するワイヤ４’と螺旋状の電気ケーブル４とで懸垂されているが、本発明においてはワイヤ４’については天井裏あるいはその他の適当な箇所にコプリングのようなワイヤ送出送戻装置を設けて長さ可変としておき、前記傾斜状態Ｃあるいは傾斜状態Ｃとする過程において、さらにペンダント３を引いてペンダント３が位置決めポイント２５１、２５２の近傍に達するようにしてもよい。その場合、電気ケーブル４は螺旋状に基づく伸縮性によりワイヤ４’の長さ変化に追随することができる。さらに電気ケーブル４が電力供給と懸垂部材としての両作用をなす場合には、電源（図示せず）とスライダー６２との間の適当な箇所、例えば、天井裏にコプリングあるいはその他の電気ケーブル送出送戻装置を設けて、傾斜状態Ｃあるいはその過程から電気ケーブル４を送出して位置決めポイント２５１、２５２の近傍に達するようにしてもよい。かかる傾斜状態Ｃあるいはその過程において、電気ケーブル４を送出して位置決めポイント２５１、２５２の近傍に達せしめる行為、並びにそのための上記したワイヤ送出送戻装置や電気ケーブル送出送戻装置の設置については、後続する諸実施の形態においても好ましい変形形態である。
【００２５】
実施の形態７．
図１４は、本発明における放射線治療装置の実施の形態７の概略正面図であり、図１５は図１４の、回転ガントリー内部の側面図を含む概略側面図である。図１４〜図１５において、７はアーム支持部材、８はＬ字形のアームである。アーム支持部材７は、回転ガントリー２の入口２２の近傍の天井１３に且つ図１４に示す通り、回転ガントリー２の回転中心軸２３を通る垂直面からずれない位置に回転自在に取付けられており、Ｌ字形アーム８はアーム支持部材７に固定されてアーム支持部材７の回転自在性に基づいてアーム支持部材７の軸の周りに回転自在となっている。またＬ字形アーム８は、回転ガントリー２の内部に図１５に示す通り、入り込み可能な長さを有し、その先端からは懸垂部材の一例としてのワイヤ４’と螺旋状の電気ケーブル４が延びていてそれらの先端にペンダント３が懸垂されている。アーム支持部材７とＬ字形アーム８とは、中空管で形成されており、ワイヤ４’と螺旋状の電気ケーブル４とはその中に挿通されている。
【００２６】
Ｌ字形アーム８を回転することにより、それを回転ガントリー２内に入れた状態（図１５の実線で示す懸垂状態Ｄ）、または前室１２にもたらした状態（図１５の点線で示す懸垂状態Ｄ）となし得る。その際、前室１２の位置からＬ字形アーム８を１８０°近く回転することにより、図１４に示すようにペンダント３を治療台の右側（図１４の点線）または左側（図１４の実線）に持ってくることができる。さらに図１４の点線または実線で示す各懸垂状態Ｄから、図１５の点線で示す傾斜状態Ｃとすると、ペンダント３を位置決めポイント２５１の近傍に持ってくることができる。
【００２７】
実施の形態８．
図１６は、本発明における放射線治療装置の実施の形態８の概略正面図であり、図１７は図１６の、回転ガントリー内部の側面図を含む概略側面図である。実施の形態８は、前記実施の形態７とはアーム支持部材７の天井１３での取付け位置と回転可能角度の点で異なり、その他の構成は同様である。即ち、アーム支持部材７は、図１６に示す通り、回転ガントリー２の回転中心軸２３を通る垂直面から距離Ｌだけずれた位置で天井１３に取付けられており、且つ２７０°の回転が可能である。例えば、いま図１７の実線で示す垂直状態Ｄ１  の位置（  回転ガントリー２内での治療台２５の左横の位置）を回転基点とすると、そこから９０°右に回転した垂直状態Ｄ２の位置（  回転ガントリー２の入口２２近傍における治療台２５の右側の位置）、そこからさらに９０°右に回転した垂直状態Ｄ３の位置（  前室１２における位置決めポイント２５２に近い位置）、およびさらにそから９０°右に回転した垂直状態Ｄ４の位置（  前室１２における回転ガントリー２の入口２２に近い位置）の間を左右に回転することができる。また垂直状態Ｄ１  〜垂直状態Ｄ４の間の任意の位置で、図１７に垂直状態Ｄ１  について例示する通り、傾斜状態Ｃとすることができる。
【００２８】
実施の形態９．
図１８は、本発明における放射線治療装置の実施の形態９の概略正面図であり、図１９は図１８の、回転ガントリー内部の側面図を含む概略側面図である。実施の形態９では、レール６が前記実施の形態２の場合と同様に天井１３に設けられており、レール６に沿って移動する移動部としての作用を兼ねるアーム支持部材７にＬ字形アーム８が固定されている。アーム支持部材７がレール６に沿ってその右端まで移動すると、Ｌ字形アーム８の先端は回転ガントリー２内部の位置決めポイント２５１の近傍まで届き、逆に位置決めポイント２５２を通過して左端まで移動すると、Ｌ字形アーム８の先端は位置決めポイント２５２の近傍辺りとなる。
【００２９】
実施の形態１０．
図２０は、本発明における放射線治療装置の実施の形態１０の概略正面図であり、図２１は図２０の、回転ガントリー内部の側面図を含む概略側面図である。実施の形態１０は、前記実施の形態７とは、Ｌ字形アーム８に代えて図２０に示す通り、回転ガントリー２の円弧状の内壁に沿うように、換言すると回転ガントリー２の内壁の曲率より若干小さい曲率にて湾曲した湾曲アーム８が用いられた点において異なり、その他の構成は実施の形態７と同じである。
【００３０】
アーム支持部材７を１８０°あるいは３６０°左右に回転することにより実施の形態７の場合と同様に、懸垂状態Ｄ１  〜Ｄ３  、さらには各懸垂状態Ｄから傾斜状態Ｃにもたらすことができる。またさらに、湾曲アーム８では、その端は下方に垂れ下がっているので、前記図１４〜図１９に示す直線状のＬ字形アーム８を用いた場合よりも、ペンダント３を位置決めポイント２５１、２５２に一層近づけ易くなる。
【００３１】
実施の形態１１．
図２２は、本発明における放射線治療装置の実施の形態１１において用いられるアーム支持部材７とアーム８の概略正面図である。図２２において、７はアーム支持部材、７１はアーム支持部材の補助部材、８は棒状のアームである。アーム支持部材７は、補助部材７１と共に、回転ガントリー２の入口２２（図示せず）の近傍の天井１３に回転自在に取付けられており、棒状アーム８は、補助部材７１に回転機構８２を介して係合されている。また棒状アーム８は、片端にカウンターウエイト８１を有し、他端にはワイヤ４’と螺旋状の電気ケーブル４の両方で懸垂されたペンダント３が懸垂（懸垂状態Ｄ）されている。
【００３２】
上記の懸垂状態Ｄのペンダント３を位置決めポイント２５１、２５２（図示せず）の方向に引くと、回転機構８２が回転して棒状アーム８が図２２の点線で示す通りに傾き且つ電気ケーブル４などは傾斜状態Ｃとなり、このためにペンダント３を、前記図１４〜図１９に示す非傾斜性のＬ字形アーム８を用いた場合よりも位置決めポイント２５１、２５２に一層近づけ易くなる。なお回転機構８２としては、例えば、補助部材７１の先端部に固定された回転軸、上記回転軸に回転自在に取付けられた棒状アーム８、および常時は補助部材７１と棒状アーム８とをＬ字状に保持するバネとから構成されたような機構が例示される。
【００３３】
実施の形態１２．
図２３は、本発明における放射線治療装置の実施の形態１２において用いられるアーム固定装置の概略正面図であり、図２４は図２３のＸＸＩＶ−  ＸＸＩＶ  線に沿った拡大断面図である。図２３〜図２４において、９はアーム固定装置であって、それは、ボール９１１を有するプランジャー９１およびＬ字形アーム８の垂直部８１に設けられたボール受入れ孔９２から構成されている。
【００３４】
Ｌ字形アーム８が回転し、その垂直部８１に設けられたボール受入れ孔９２がプランジャー９１のところまで来ると、その先端のボール９１１がボール受入れ孔９２にはまってＬ字形アーム８が固定される。ボール９１１は、プランジャー９１内に設けられたバネ（図示せず）により垂直部８１を押圧しているので、Ｌ字形アーム８は確実に固定される。しかも手動でＬ字形アーム８を回転させる方向に動かすと、ボール受入れ孔９２がボール９１１から外れるので、Ｌ字形アーム８は固定位置から外れ再度回転可能となる。Ｌ字形アーム８の固定位置としては、例えば前記の位置決めポイントやＬ字形アーム８の退避位置などであり、それらは必要な数だけ垂直部８１にボール受入れ孔９２をあけることにより確保することができる。
【００３５】
実施の形態１３．
図２５は、本発明における放射線治療装置の実施の形態１３において用いられるアーム固定装置の概略断面図である。図２５において、９はアーム固定装置であって、それは、天井１３の裏に設けられた筐体９３、筐体９３の上に固定された電磁ブレーキ９４、筐体９３内に設けられたカップリング９５から構成されている。Ｌ字形アーム８の先端部８２は、アーム支持部材７を回転自在に貫通してその先端はカップリング９５と結合しており、また電磁ブレーキ９４はペンダント３のボタン操作によるコントロールにて、Ｌ字形アーム８の回転を任意の位置で電磁的に阻止することができる。
【００３６】
【発明の効果】
本発明の放射線治療装置は、以上説明した通り、（１）放射線照射部を有する回転ガントリー、上記回転ガントリーの外に配置されて患者を載せる治療台の上記放射線照射部に対する位置を決めるためのペンダント、上記ペンダントと電源とを繋ぐ電気ケーブル、上記電気ケーブルを大きな弛みを与えることなく送り出しおよび送り戻す電気ケーブル送出送戻装置を備え、上記電気ケーブル送出送戻装置は、バネによる巻き取り機構とラチェット機構とを内蔵したコプリングであることを特徴とするものである。電気ケーブル送出送戻装置は上記の作用をなすので、医師は、ペンダントの操作後に従来のようにそれをフックに掛けに移動する必要や安全な仮置場所を探す必要がなく、しかも電気ケーブルが床上に這うこともないので、医師やその他の治療関係者は、電気ケーブルに絡まらないよう注意する必要もなくなって、患者の治療やその他の作業に専念することができる。
【００３７】
また上記（１）において、電気ケーブル送出送戻装置は、バネによる巻き取り機構とラチェット機構とを内蔵したコプリングであり、また（２）上記（１）において、電気ケーブル送出送戻装置は、天井裏にまたは天井とペンダントとの間に設けられたものであると、電気ケーブルが医師によりコプリングから送出されると、それの送出された長さ分がラチェット機構によりロック保持される。さらに電気ケーブルは、医師により僅かに引かれその後に医師がペンダントから手を放すと、電気ケーブルは巻き取られて自動的にコプリング５内に収納され、電気ケーブルの収納状態においては、医師やその他の治療関係者の歩行の妨げとならず、しかもペンダントを繰り返し操作し易い高みに保持することができる効果がある。
【００３８】
本発明の放射線治療装置は、以上説明した通り、また（３）放射線照射部を有する回転ガントリー、患者を載せる治療台の上記放射線照射部に対する位置を決めるためのペンダント、上記ペンダントを上記回転ガントリーの入口近傍の外において上から懸垂し、且つ上記懸垂の状態から斜めして上記回転ガントリー内に引き込めば上記回転ガントリー内の上記治療台の近傍に届く長さを有する懸垂部材を備えたものである。上記の懸垂状態においては、電気ケーブルとペンダントとは回転ガントリーの入口において上から懸垂しているので、医師などの治療関係者は、必要に応じて懸垂状態の電気ケーブルやペンダントを手で避けて回転ガントリー内に出入りすることができ、しかも上記ペンダントを懸垂状態から斜めして回転ガントリー内に引き込めば治療台の近傍に持ち込むことができるので、上記（１）の場合と同様の効果が得られて患者の治療やその他の作業に専念することができる。ペンダントに接続されている電気ケーブルは、ペンダントを上記の懸垂状態に保持するための必要長は天井などから室内に露出しているが、それ以外の大部分は天井裏などに存在せしめることができる。これは、以下の諸発明においても同様である。
【００３９】
また（４）上記（１）または（３）において、ペンダントは、建屋の天井から懸垂されたものであると、上記（２）の場合と同様の効果が得られる。またペンダントを電源と繋ぐ電気ケーブルは、天井裏などに導かれるために従来の様な床上を這う電気ケーブルに見られた問題がない。
【００４０】
また（５）上記（１）または（３）において、ペンダントは、建屋の天井に設けられたレールに沿って移動する移動部から懸垂されたものである。放射線治療においては、医師は回転ガントリー内では治療台の左右において、また治療台が回転ガントリーの前の前室に移動された場合にはその治療台の周囲、就中、治療台の位置決めポイントの近傍においてペンダントを操作する必要があるが、ペンダントがレールに沿って移動できることによりペンダントを操作できる場所の範囲が拡大して治療台の位置決めが容易且つ正確となって、患者の治療が一層適切となる大きな効果がある。加えて、ペンダントが不要なときは、それを患者の治療やその他の作業中での医師などの治療関係者の行動の妨げとならない位置に移動退避させることもできる。
【００４１】
本発明の放射線治療装置は、またさらに（６）放射線照射部を有する回転ガントリー、患者を載せる治療台の上記放射線照射部に対する位置を決めるためのペンダント、上記回転ガントリーの入口近傍の外に設けられたアーム支持部材、上記アーム支持部材に固定されて、あるいは上記アーム支持部材の軸の周りに回転自在に取付けられて上記回転ガントリーの内部に入り込み可能な長さを有するアーム、および上記アームの先端またはその近傍から上記ペンダントを懸垂する懸垂部材を備えたものであると、アームの長さとそれの回転性により上記アームの先端から懸垂部材により懸垂されたペンダントを操作し得る場所の範囲が拡大して、上記（５）の場合と同様の効果がある。さらにアーム支持部材を回転ガントリー回転中心軸を通る垂直面からずれない位置に回転自在に取付けることにより、アームは上記アーム支持部材７の軸の周りに１８０°回転することにより、ペンダント３を治療台の右左側に容易に持ってくることができる。
【００４２】
また（７）上記（３）または（６）において、懸垂部材は、ペンダントと電源とを繋ぐ電気ケーブルおよび／またはワイヤであると、ペンダントが懸垂した状態から傾斜状態とすることによりペンダントを操作し得る場所の範囲が一層拡大する。
【００４３】
また（８）上記（６）において、アーム支持部材は、建屋の天井に取付けられたものであると、上記（２）や（４）の場合と同様の効果が得られる。
【００４４】
また（９）上記（６）において、アーム支持部材は、建屋の天井に設けられたレールに沿って移動する移動部であると、アーム支持部材はアームの支持体と移動部を兼用するので、本発明の放射線治療装置がコンパクトでありながら、しかもペンダントの操作範囲が拡大する。
【００４５】
また（１０）上記（５）または（９）において、レールは、回転ガントリーの回転軸と平行方向または直交方向に設けられたものであると、レールが上記平行方向に設けられた場合には、ペンダントを操作し得る場所の範囲が回転ガントリー内並びに回転ガントリーの前室の両方に拡大し、一方、レールが上記直交方向に設けられると、回転ガントリー内の治療台の左右でのペンダントの操作の自由度が大きくなる。
【００４６】
また（１１）上記（５）または（９）において、レールは、回転ガントリーの回転軸を通る垂直な面からずれた位置に設けられたものであると、例えば、回転ガントリー内での治療台の左横の位置を回転基点して２７０°の回転により、回転ガントリー内での治療台の右側の位置、前室における位置決めポイントに近い位置、および前室における回転ガントリーの入口に近い位置の間を回転することができる。
【００４７】
また（１２）上記（５）または（９）において、レールは、回転ガントリーの外に出された治療台を囲むようにコ字型を呈するものであると、上記（１０）においてレールが回転ガントリーの回転軸と平行方向と直交方向の両方に設けられた場合以上にペンダントを操作し得る場所の範囲が拡大する効果がある。
【００４８】
また（１３）上記（６）において、アームは、アーム支持部材に対して上下に回転可能であるものであると、上記アームの先端から懸垂するペンダントを回転ガントリー内などの位置決めポイントの方向に引くと、アームが傾き、このためにペンダントを非傾斜性のアームを用いた場合よりも位置決めポイントに一層近づけ易くなる。さらに上記アームのペンダントが懸垂する先端と反対側にカウンターウェートを取り付けることが可能であって、かくすると、上記アームの先端から懸垂するペンダントを回転ガントリー内などの位置決めポイントの方向に引いた後に手を放すと、上記カウンターウェートの重みでアームは自然に元の状態に戻りペンダントを保持することができる。
【００４９】
また（１４）上記（６）において、アームは、回転ガントリーの円弧状の内壁に沿うように湾曲しているものであると、上記湾曲アームはその端は下方に垂れ下がっているので、直線状のアームを用いた場合よりも、ペンダントを位置決めポイントに一層近づけ易くなる。また上記湾曲アーム部は、回転ガントリーの天井に近くに保持することができて、ために医師の治療行為の妨げになったり、治療台上の患者の目障りになることが無くなる。
【００５０】
また（１５）上記（６）において、アームのアーム支持部材の周りでの回転を阻止するアーム固定装置を有するものであり、例えば（１６）上記（１５）において、アーム固定装置は、アーム支持部材またはアームに設けられた複数の孔と上記孔に嵌まり込んでアームの回転を阻止するボールから構成されたもの、あるいは（１７）上記（１５）において、アーム固定装置は、アームの回転を電磁的に阻止する電磁ブレーキであると、アームを特定の位置あるいは任意の位置で固定することができ、その状態でペンダントを安定的に且つ一層正確に操作することができる。
【図面の簡単な説明】
【図１】本発明における実施の形態１の概略正面図。
【図２】図１の、回転ガントリー内部の側面図を含む概略側面図。
【図３】本発明における実施の形態２の概略正面図。
【図４】図３の、回転ガントリー内部の側面図を含む概略側面図。
【図５】本発明における実施の形態３の概略正面図。
【図６】図５の、回転ガントリー内部の側面図を含む概略側面図。
【図７】本発明における実施の形態４の概略正面図。
【図８】図７の、回転ガントリー内部の側面図を含む概略側面図。
【図９】本発明における実施の形態５の概略正面図。
【図１０】図９の、回転ガントリー内部の側面図を含む概略側面図。
【図１１】本発明における実施の形態６の概略正面図。
【図１２】図１２の、回転ガントリー内部の側面図を含む概略側面図。
【図１３】図１１の概略上面図。
【図１４】本発明における実施の形態７の概略正面図。
【図１５】図１４の、回転ガントリー内部の側面図を含む概略側面図。
【図１６】本発明における実施の形態８の概略正面図。
【図１７】図１６の、回転ガントリー内部の側面図を含む概略側面図。
【図１８】本発明における実施の形態９の概略正面図。
【図１９】図１８の、回転ガントリー内部の側面図を含む概略側面図。
【図２０】本発明における実施の形態１０の概略正面図。
【図２１】図２０の、回転ガントリー内部の側面図を含む概略側面図。
【図２２】本発明における実施の形態１１で用いられるアーム支持部材とアームの概略正面図である。
【図２３】本発明における実施の形態１２で用いられるアーム固定装置の概略正面図。
【図２４】図２３のＸＸＩＶ−  ＸＸＩＶ  線に沿った拡大断面図。
【図２５】本発明における実施の形態１３で用いられるアーム固定装置の概略断面図。
【図２６】従来の放射線治療装置の概略正面図。
【図２７】図２６の、回転ガントリー内部の側面図を含む概略側面図。
【符号の説明】
１  建屋、１２  前室、２  回転ガントリー、２１  回転ガントリー本体、
２４  照射ノズル、２５  治療台、３  ペンダント、４  電気ケーブル、
４’ワイヤ、５  コプリング、６  レール、６２  スライダー、
７  アーム支持部材、８  アーム、９  アーム固定装置、９１１  ボール、
９２  ボール受入れ孔、  ９４  電磁ブレーキ。
【図１】
0003608194.tif 000002
【図２】
0003608194.tif 000003
【図３】
0003608194.tif 000004
【図４】
0003608194.tif 000005
【図５】
0003608194.tif 000006
【図６】
0003608194.tif 000007
【図７】
0003608194.tif 000008
【図８】
0003608194.tif 000009
【図９】
0003608194.tif 000010
【図１０】
0003608194.tif 000011
【図１１】
0003608194.tif 000012
【図１２】
0003608194.tif 000013
【図１３】
0003608194.tif 000014
【図１４】
0003608194.tif 000015
【図１５】
0003608194.tif 000016
【図１６】
0003608194.tif 000017
【図１７】
0003608194.tif 000018
【図１８】
0003608194.tif 000019
【図１９】
0003608194.tif 000020
【図２０】
0003608194.tif 000021
【図２１】
0003608194.tif 000022
【図２２】
0003608194.tif 000023
【図２３】
0003608194.tif 000024
【図２４】
0003608194.tif 000025
【図２５】
0003608194.tif 000026
【図２６】
0003608194.tif 000027
【図２７】
0003608194.tif 000028